(57)【要約】【課題】  リタード分離機構において、給紙カセットからリタードローラまでの搬送路が湾曲している場合に、重送した紙をカセットまで戻しやすくし、かつリタードローラが離間した後の連れ重送を防止することを目的とする。【解決手段】  用紙が搬送路から受ける抵抗力が、用紙給送方向の抵抗力がその逆方向の抵抗力より大きくなるように、搬送路中にワンウエイローラを突出させる。【選択図】  図１
2007161380.tif 000002
【特許請求の範囲】
【請求項１】
用紙を積載する用紙積載手段と、用紙積載手段に積載された用紙を送り出すピックアップローラと、用紙を給送する方向に回転するフィードローラ及び用紙を給送する方向とは反対方向に回転するリタードローラによるリタード分離手段と、を備えた自動給紙装置において、給送される用紙がピックアップローラからリタード分離手段の間にある搬送路から受ける抵抗力が、用紙搬送方向とその逆方向で異なることを特徴とする自動給紙装置。
【請求項２】
用紙が前記搬送路から受ける抵抗力について、用紙搬送方向の抵抗力がその逆方向の抵抗力よりも大きいことを特徴とする請求項１に記載の自動給紙装置。
【請求項３】
前記搬送路として、搬送路に一方向のみに回転可能なローラが突出していることを特徴とする請求項１に記載の自動給紙装置。
【請求項４】
前記搬送路として、搬送路に植毛素材を貼り付けたことを特徴とする請求項１に記載の自動給紙装置。
【請求項５】
請求項１ないし４に記載の自動給紙装置と、該自動給紙装置によって給送された前記用紙に画像を形成する記録手段と、を備えたことを特徴とする記録装置。
【発明の詳細な説明】
【技術分野】
【０００１】
本発明は記録装置あるいは複写機に記録用紙を給送したり、画像読み取り装置等に原稿を順次給送するための自動給紙装置に関するものである。
【背景技術】
【０００２】
リタード分離機構を備えた自動給紙装置において、自動給紙装置を内蔵するプリンタあるいは複写機の内部スペースに制約があるため、用紙カセットに積載された用紙がピックアップローラによって送り出されて、リタード分離機構に至るまでの搬送路を湾曲させる場合がある。このとき、搬送される用紙は搬送路内で屈曲し、用紙のコシにより強く搬送路に押付られている。この状態で用紙を搬送すると、用紙は搬送路から大きな摩擦抵抗力を受けることになる。
【０００３】
従来例としては、例えば特許文献１と特許文献２をあげることが出来る。
【特許文献１】特開２００４−１８２４１７号公報
【特許文献２】実開昭６３−６５６４０号公報
【発明の開示】
【発明が解決しようとする課題】
【０００４】
リタード分離手段を備えた自動給紙装置においては、ピックアップローラで送り出された用紙が重送すると、下流にあるリタードローラが逆転して用紙を戻す働きがある。しかしながら、リタードローラはトルクリミッタを介して駆動を伝達するために、用紙が屈曲することにより用紙が搬送路から大きな抵抗力を受けると、用紙を戻すために必要な力がトルクリミッタの制限トルクを超えてトルクリミッタと駆動軸が空転し、重送した用紙を戻すことが出来なくなる問題がある。この現象は、剛性が大きくコシが強い厚紙を給紙する際に顕著に表れる。反対に腰の弱い薄紙では、屈曲によって搬送路に押付られる作用が小さいためこの問題が生じにくい。
【０００５】
また、インクジェットプリンタにおいては、印字動作中に用紙後端部をリタードローラでニップしたままであると負荷がかかって、用紙送りの精度が悪化し印字品位を損なってしまう。これを防止するために、印字動作中にはリタードローラとフィードローラを離間させておく。しかしながら、リタードローラが離間した状態においては、２枚目の用紙が連れ重送した際に分離する機能を持たないため、重送した用紙が搬送されるという問題が生じる。
【０００６】
本発明は、剛性が大きくコシが強い厚紙が重送した場合であってもリタードローラによって用紙を戻すことが出来なくなることを防止し、また、印字中にリタードローラが離間した状態において、重送した用紙が搬送されるのを防止することを目的とする。
【課題を解決するための手段】
【０００７】
上記目的を達成するための本発明の構成は、用紙を積載する用紙積載手段と、用紙積載手段に積載された用紙を送り出すピックアップローラと、用紙を給送する方向に回転するフィードローラ及び用紙を給送する方向とは反対方向に回転するリタードローラによるリタード分離手段と、を備えた自動給紙装置において、給送される用紙がピックアップローラからリタード分離手段の間にある搬送路から受ける抵抗力が、用紙搬送方向とその逆方向で異なることを特徴とする自動給紙装置である。
【発明の効果】
【０００８】
本発明によれば、剛性が大きくコシが強い厚紙が重送した場合であってもリタードローラによって用紙を戻すことが出来なくなることが防止できる。また、印字中にリタードローラが離間した状態において、重送した用紙が搬送されるのを防止することができる。
【発明を実施するための最良の形態】
【０００９】
（実施例１）
図１は、本発明の実施に係る自動給紙装置を備えた記録装置の一例であるインクジェットプリンタの概略構成を示す断面図である。同図において、１０１Ａは自動給紙装置である。自動給紙装置１０１Ａは、用紙を積載する手段である用紙台２と、用紙台２に積載された用紙１００を送り出す用紙給送手段である給紙ローラ１と、を備えている。
【００１０】
用紙台２の用紙給送方向の下流側端部には、搬送路３を設けている。搬送路３の下流には、順方向に駆動されるフィードローラ４ａと、逆方向に駆動されるリタードローラ４ｂとから構成されているリタード分離手段４がある。用紙台２とリタード分離手段４の位置関係から、搬送路３は湾曲しており、搬送路３に沿って搬送される用紙は、約９０度上方へ向きを変える。搬送路３の途中には一方向のみに回転可能なワンウエイローラ１０が突出している。ワンウエイローラ１０の表面は、ゴム等の高摩擦部材からなり、接触した用紙１００との間で摩擦力が働くようになっている。ワンウエイローラ１０は、用紙搬送方向に対して逆方向にのみ回転できるように取り付けられる。
【００１１】
リタード分離機構４において、フィードローラ４ａとリタードローラ４ｂは接離可能な機構をもち、用紙１００を分離するときだけニップしているが、それ以外のときはフィードローラ４ａとリタードローラ４ｂが遠ざかり、ローラ間を搬送される用紙１００に負荷を与えないようになっている。
【００１２】
リタード分離手段４の下流には、分離された用紙１００を給送する搬送ローラ対５ａ、５ｂがある。搬送ローラ対５で用紙１００をプリンタ内部に給送するために、ローラガイド１２０およびＵターンローラ１２１で構成される用紙搬送通路Ｒが設けられている。
【００１３】
次に、本発明の自動給紙装置を構成する各部材の動作を図２から５を用いて説明する。
【００１４】
図２において、給紙ローラ１を回転させると、用紙台２に積載された最上位の用紙１００ａが搬送路３に沿って給送される。給紙ローラ１でさらに用紙１００ａを搬送すると、用紙１００ａはリタード分離手段４のフィードローラ４ａおよびリタードローラ４ｂにニップされる。用紙１００ａが１枚だけニップに送られてきた場合は、トルクリミッタ８と図示しない駆動軸が空転することにより、リタードローラ４ｂはフィードローラ４ａに連れ回って搬送方向に対して順方向に回転するので、用紙１００ａを搬送することができる。なお、用紙が送られてくるまでの間も、リタードローラ４ｂはフィードローラ４ａと連れ回りして順方向に回転している。
【００１５】
給紙ローラ１で用紙１００を給送するとき、図３に示すように、最上位の用紙１００ａが下位の用紙１００と同時に複数枚が重なったでフィードローラ４ａとリタードローラ４ｂのニップに送られてくることがある。このように、フィードローラ４ａリタードローラ４ｂとの間に複数の用紙がニップされると、リタードローラ４ｂに加わる搬送方向の回転トルクがトルクリミッタ８の限界トルク以下になるために、フィードローラ４ａは用紙搬送方向に対して順回転するが、リタードローラ４ｂは用紙搬送方向に対して逆回転する。これにより、フィードローラ４ａは最上位の用紙１００ａを送ると共に、リタードローラ４ｂがそれより下位の用紙１００を順次戻用紙台２に戻すことで重送を防いでいる。
【００１６】
しかしながら、本実施例で示すように、搬送路３が湾曲している場合、用紙１００が厚紙のように剛性の高い用紙であれば、用紙のコシにより用紙１００の表面が搬送路３に強く押付られた状態となる。リタードローラ４ｂが重送した用紙を戻す力はトルクリミッタにより制限されており、重送した用紙１００と搬送路３との間に大きな摩擦力が発生していると、駆動軸とリタードローラ４ｂが空転して重送した用紙１００を戻すことが出来なくなる。本発明の構成においては、搬送路３の途中にワンウエイローラ１０があり、図中矢印の方向には回転することができるようになっている。搬送路３内で屈曲している用紙１００の表面は、ワンウエイローラ１０に当接し、搬送路３に直接接触することは無い。このため、重送した用紙１００がリタードローラ４ｂによって戻されている時に、用紙１００が受ける抵抗力が小さくなるため、用紙が戻る動きを妨げない。
【００１７】
次に、本発明によって得られる２つ目の効果について記述する。図４に示すように、用紙１００の先端がリタード分離機構４ａ、４ｂを過ぎ、搬送ローラ対５ａ、５ｂに達すると、図示しないセンサで紙の先端位置を検知してフィードローラ４ａとリタードローラ４ｂを離間させる。これは、リタードローラ４ｂが連れ回っている際には用紙の挙動が不安定になり斜行が起きやすくなるため、安定して搬送を行なうことが目的である。また、印字中に用紙後端にかかる負荷を低減して、高い紙送り精度を実現するためにも必要な動作である。しかしながら、フィードローラ４ａとリタードローラ４ｂが離間した状態で用紙１００ａを搬送すると、用紙１００ａと下位の用紙１００とを分離する機能が無いために、２枚以上の用紙が重送する可能性がある。本発明においては、搬送路３からワンウエイローラ１０が突出しており、フィードローラ４ａとリタードローラ４ｂが離間した後に重送が発生した場合、重送した下位の用紙１００は紙のコシによってワンウエイローラ１０に押付られている。ワンウエイローラ１０は、用紙搬送方向には回転できないため、重送した用紙１００とワンウエイローラ１０の表面の高摩擦部材との間に作用する摩擦力が、重送した用紙１００の搬送を妨げる抵抗力として働き、連れ重送を防止する。
【００１８】
以上２つの効果を同時に得ることは、両方向に回転可能なローラや、用紙が搬送方向とその逆方向の両方向から同様に高い抵抗力を与える摩擦部材を搬送路に配するのでは実現できず、本発明で示した構成が必要となる。
【００１９】
また、副次的な効果として、図５に示すように、用紙台２から搬送される用紙１００の先端はワンウエイローラ１０から抵抗を受ける。用紙１００が重送して搬送された場合、最上位の用紙１００ａはピックアップローラ１から大きな搬送力を受けるために、ワンウエイローラ１０から抵抗力を受けても搬送される。一方、２枚目以下の用紙１００には１枚目の用紙１００ａとの摩擦力のみが搬送力として働く。この搬送力は最上位の用紙１００ａが受ける搬送力に比べ十分小さいためにワンウエイローラ１０から受ける抵抗力によってそれ以上の搬送が妨げられて、重送を防止することができる。
【００２０】
（実施例２）
図６には、本発明のもう一つの実施例を示す。搬送路３の表面に植毛素材のシート１１が、毛の生えている向きが用紙搬送方向対して起きている向きに貼り付けられている。
【００２１】
これにより、用紙が搬送路から受ける抵抗は、搬送方向の抵抗力が逆方向の抵抗力よりも大きくなり上で示した実施例と同様の効果を得ることができる。
【図面の簡単な説明】
【００２２】
【図１】インクジェットプリンタの概略構成を示す断面図である。
【図２】自動給紙装置の動作を説明する図。
【図３】自動給紙装置の動作を説明する図。
【図４】自動給紙装置の動作を説明する図。
【図５】自動給紙装置の動作を説明する図。
【図６】本発明の他の実施形態を示す図。
【符号の説明】
【００２３】
１  給紙ローラ
２  用紙台
３  搬送路
４ａ  フィードローラ
４ｂ  リタードローラ
４  リタード分離手段
５  搬送ローラ対
１０  ワンウエイローラ
１００  用紙
１０１Ａ  自動給紙装置
１２０  ローラガイド
１２１  Ｕターンローラ
【図１】
2007161380.tif 000003
【図２】
2007161380.tif 000004
【図３】
2007161380.tif 000005
【図４】
2007161380.tif 000006
【図５】
2007161380.tif 000007
【図６】
2007161380.tif 000008